(57)【特許請求の範囲】
【請求項１】
信号伝達用ケーブルを内装し操作部から延びるユニバーサルチューブの先端部に設けられた、ビデオプロセッサに対して着脱されるコネクタ部本体と；上記信号伝達用ケーブルを挿通する挿通穴を有し、上記コネクタ部本体内に設けられた磁性材料からなる電磁ノイズ除去コアと；を有する電子内視鏡の電磁ノイズ除去装置において、
上記コネクタ部本体内に備えられたシールドケースと、このシールドケースの一部を構成する又はシールドケース内に位置する固定基板と、この固定基板に固定されたコア保持基板とを備え、
上記コア保持基板は、固定基板に密着して固定される密着壁と該密着壁から立ち上がり、上記電磁ノイズ除去コアを挿入して該電磁ノイズ除去コアに当接する包囲壁とを有しており、この包囲壁と上記固定基板の間に電磁ノイズ除去コアを挟着保持すること、及び、
上記信号伝達用ケーブルが、電磁ノイズ除去コアとコア保持基板に巻きつけられていること、
を特徴とする電子内視鏡の電磁ノイズ除去装置。
【請求項２】
請求項１記載の電子内視鏡の電磁ノイズ除去装置において、電磁ノイズ除去コアは、全体として略直方体状をなす一対の半割コアからなっており、コア保持基板の包囲壁は、この略直方体状の電磁ノイズ除去コアに対応する略コ字型断面をなしている電子内視鏡の電磁ノイズ除去装置。
【請求項３】
請求項１または2記載の電子内視鏡の電磁ノイズ除去装置において、信号伝達用ケーブルは、体内挿入部先端部の対物光学系による画像信号を伝送するＣＣＤケーブルまたは操作部の各種のスイッチ装置からの操作信号を伝送するリモートケーブルである電子内視鏡の電磁ノイズ除去装置。
【発明の詳細な説明】
【０００１】
【技術分野】
本発明は、電子内視鏡の電磁ノイズ除去装置に関する。
【０００２】
【従来技術及びその問題点】
電子内視鏡では、内視鏡の体内挿入部先端部の対物光学系による画像をＣＣＤ上に結像させてその画像信号を外部のビデオプロセッサに伝達するためのＣＣＤケーブルや、内視鏡の操作部に設けられている各種のスイッチ装置に接続されたリモートケーブルなどの信号伝達用ケーブルが用いられている。従来では、これらの信号伝達用ケーブルに対する放射電磁ノイズを除去するため、各種対策が採られている。
【０００３】
図４及び図５は、内視鏡のユニバーサルチューブ先端部に位置するコネクタ部本体１０５内にシールドケース１１０を設け、このシールドケース１１０内に、磁性材料からなる電磁ノイズ除去コア１１３を備えた従来例を示している。電磁ノイズ除去コア１１３は、ケーブル挿通穴１１３ａを備えていて、このケーブル挿通穴１１３ａにユニバーサルチューブ内の信号伝達用ケーブル１０６、１１２を挿通させることで電磁ノイズを除去する。この電磁ノイズ除去コア１１３は、シールドケース１１０に固定された断面コ字形状のコア保持基板２００に挿入（嵌合）された状態でビス止めされることにより、シールドケース１１０内に固定されている。
【０００４】
ところで近年では、内視鏡のさらなる小型化を図るべく、内視鏡内部に備えられる各種部品間のスペースが狭められている。このことはシールドケース１１０内においても例外ではなく、シールドケース１１０に既に組み込んだコア保持基板２００に電磁ノイズ除去コア１３３を狭いスペース内でビス止めすることは大変に困難を伴うものであった。
【０００５】
また、コア保持基板２００は電磁ノイズ除去コア１１３の挿入口が開放された断面コ字形状をなしているため、電磁ノイズ除去コア固定用のビス２０１が緩んだ場合に、その挿入口から電磁ノイズ除去コア１１３が脱落してしまうおそれがあった。
【０００６】
【発明の目的】
本発明の目的は、以上の問題意識に基づいて、電磁ノイズ除去コアの取付け作業を容易化し、かつ電磁ノイズ除去コアの脱落を防止できる電子内視鏡の電磁ノイズ除去装置を得ることにある。
【０００７】
【発明の概要】
本発明は、信号伝達用ケーブルを内装し操作部から延びるユニバーサルチューブの先端部に設けられた、ビデオプロセッサに対して着脱されるコネクタ部本体と；上記信号伝達用ケーブルを挿通する挿通穴を有し、上記コネクタ部本体内に設けられた磁性材料からなる電磁ノイズ除去コアと；を有する電子内視鏡の電磁ノイズ除去装置において、上記コネクタ部本体内に備えられたシールドケースと、このシールドケースの一部を構成する又はシールドケース内に位置する固定基板と、この固定基板に固定されたコア保持基板とを備え、上記コア保持基板は、固定基板に密着して固定される密着壁と該密着壁から立ち上がり、上記電磁ノイズ除去コアを挿入して該電磁ノイズ除去コアに当接する包囲壁とを有しており、この包囲壁と上記固定基板の間に電磁ノイズ除去コアを挟着保持すること、及び、上記信号伝達用ケーブルが、電磁ノイズ除去コアとコア保持基板に巻きつけられていること、を特徴としている。
【０００８】
電磁ノイズ除去コアは、全体として略直方体状をなす一対の半割コアから構成するのが一般的であり、コア保持基板の包囲壁は、この略直方体状の電磁ノイズ除去コアに対応する略コ字型断面に形成するのがよい。
【０００９】
信号伝達用ケーブルは、体内挿入部先端部の対物光学系による画像信号を伝送するＣＣＤケーブルまたは操作部の各種のスイッチ装置からの操作信号を伝送するリモートケーブルである。
【００１０】
【発明の実施の形態】
図１に示すように、この実施形態の電子内視鏡１は、可撓性を有する先端側の体内挿入部２と、基部の操作部３と、この操作部３から延長されたユニバーサルチューブ４と、このユニバーサルチューブ４の先端部に設けられたコネクタ部本体５とを有している。コネクタ部本体５は図示しないビデオプロセッサに接続される。体内挿入部２の対物光学系によって固体撮像素子例えばＣＣＤ（電荷結合素子）に結像した画像信号は、デジタル信号に変換されて、体内挿入部２、操作部３、ユニバーサルチューブ４及びコネクタ部本体５に挿通されたＣＣＤケーブル６（図２及び図３）を介してビデオプロセッサに伝達される。また、操作部３に設けられている各種のスイッチ装置に接続されて操作信号を伝送するリモートケーブル１２も、操作部３、ユニバーサルチューブ４及びコネクタ部本体５に挿通されている。
【００１１】
図２及び図３に示すように、コネクタ部本体５は、外殻を形成する合成樹脂製のアウタケース９と、このアウタケース９内に位置するシールドケース（電磁ノイズシールド用金属ケース）１０を有している。このアウタケース９とシールドケース１０には、ビデオプロセッサに接続される接続プラグ８用の取付け口９ａと１０ｂが穿設されている。この取付け口９ａ、１０ｂには、ＣＣＤドライバ基板１１への電力供給及び信号伝達用などの接続プラグ８の基端部が挿入されている。接続プラグ８は、中心に＋端子８ａが位置し、その放射方向に筒状の−端子８ｂが絶縁されて位置する。この接続プラグ８には、外径部プラグケース２４が設けられている。外径部プラグケース２４は、金属製のプラグケースであり、電磁ノイズシールドとしての機能も備えている。この外径部プラグケース２４は、取付け口９ａに差込まれ、絶縁材２５を介してロックナット２６でシールドケース１０の取付け口１０ｂに取付けられている。
【００１２】
アウタケース９には、ライトガイド差込みプラグ７用の取付け口９ｂがシールドケース１０から離間した位置に開口され、この取付け口９ｂにライトガイド差込みプラグ７の基部が嵌め込まれ、その基部が絶縁材２７を介してロックナット２８で取付けられている。ライトガイド差込みプラグ７には、基部側から先端部に達する保持孔７ａが穿けられている。コネクタ部本体５内に導かれたライトガイドファイババンドル２９は、ライトガイド差込みプラグ７内の保持孔７ａ内に保持されて先端部まで差込まれている。またライトガイド差込みプラグ７の先端には導光レンズ３０が組み込まれている。
【００１３】
ビデオプロセッサには、接続プラグ８とライトガイド差し込みプラグ７に対応する接続ソケットとライトガイド差込みソケットが設けられていて、接続プラグ８と対応するソケットが接続されると、ＣＣＤケーブル６とリモートケーブル１２がビデオプロセッサに接続される。また、ライトガイド差し込みプラグ７が対応するソケットに接続されると、その先端がビデオプロセッサ内の光源ユニット（図示略）に接続される。
【００１４】
シールドケース１０内には、ＣＣＤを走査して画像をデジタル信号として取り込むとともに、ＣＣＤからの微小信号を増幅してビデオプロセッサに出力する働きをするＣＣＤドライバ基板（電子回路）１１と、両ケーブル６、１２に対する電磁ノイズを除去する磁性材料からなる電磁ノイズ除去コア１３とが備えられている。シールドケース１０は、ＣＣＤ基板１１及び電磁ノイズ除去コア１３を内部に収納した後、シールドケース１０の一部をなす金属カバー１４で施蓋され、ＣＣＤドライバ基板１１から発生する電磁ノイズを遮蔽（シールド）するように形成されている。シールドケース１０には、ＣＣＤケーブル６及びリモートケーブル１２を引き込むための開口１０ａが形成されている。
【００１５】
コネクタ部本体５のアウタケース９には、吸引ニップル２０、送気送水口２１、帰還端子２２、圧力調節弁２３が設けられている（図１及び図３参照）。吸引ニップル２０は外部の図示しない吸引機構に接続されるもので、この吸引ニップル２０と体内挿入部２の先端部の図示しない吸引チャンネル入口とは、ユニバーサルチューブ４、操作部３及び体内挿入部２を挿通する吸引管路によって接続されている。送気送水口２１は外部の送気送水源に接続されるもので、この送気送水口２１と体内挿入部２の先端部に設けられた送気送水ノズルとは、ユニバーサルチューブ４、操作部３及び体内挿入部２を挿通する送気送水管路によって接続されている。上記送気送水ノズルは、体内挿入部２の先端部の観察窓を洗浄するための洗浄用ノズルである。帰還端子２２は、高周波電力を使用する処置具例えば電気メスの使用時の安全を確保するために設けられている。圧力調節弁２３は、内視鏡内部と内視鏡外部との圧力を同等にするために設けられた調整弁であって、例えばＥＯＧ減菌やオートクレープ減菌を行なう場合に操作される。
【００１６】
磁性材料からなる電磁ノイズ除去コア１３は、一対の半割コア１３Ｈからなっている。この一対の半割コア１３Ｈは、組み合わされたとき全体として直方体状をなしその中心部（軸部）にケーブル挿通穴１３ａを形成する。この一対の半割コア１３Ｈは、固定基板１５とコア保持基板１６によりシールドケース１０内に固定される。この実施形態でのコア保持基板１６は、２セットの電磁ノイズ除去コア１３を固定するのに用いられるものであり、中央部に固定基板１５に密着する密着壁１６ｂが形成され、この密着壁１６ｂの左右にコ字型断面に折り曲げられた一対の包囲壁１６ａが形成されている。この一対の包囲壁１６ａに電磁ノイズ除去コア１３を挿入した状態で密着壁１６ｂを固定基板１５に当接させビス１７で固定すると、電磁ノイズ除去コア１３がこの包囲壁１６ａ内と固定基板１５との間に挟着保持される。
【００１７】
電磁ノイズ除去コア１３は、例えば次のようにしてシールドケース１０内に固定される。まず、コア保持基板１６の一対の包囲壁１６ａ内にそれぞれ一対の半割コア１３Ｈを組み合わせた２セットの電磁ノイズ除去コア１３を挿入し、ビス１８によりコア保持基板１６にねじ止めする。次に、この２セットの電磁ノイズ除去コア１３のケーブル挿通穴１３ａ内に、ＣＣＤケーブル６及びリモートケーブル１２を順番に挿通してコア保持基板１６と電磁ノイズ除去コア１３に巻きつける。ＣＣＤケーブル６及びリモートケーブル１２を電磁ノイズ除去コア１３とコア保持基板１６に巻き付けた後、包囲壁１６ａ内の電磁ノイズ除去コア１３を固定基板１５に接触させた状態で、コア保持基板１６の密着壁１６ｂを固定基板１５にビス１７によりねじ止めする。次に、固定基板１５をビス１９でシールドケース１０に固定して、電磁ノイズ除去コア１３をシールドケース１０内に固定する。
【００１８】
以上のように、電磁ノイズ除去コア１３と、コア保持基板１６と、固定基板１５を１ユニットしてシールドケース１０に組み込むので、電磁ノイズ除去コア１３を固定基板１５を使ってコア保持基板１６に取付ける際にシールドケース１０などにより邪魔されることがなく、電磁ノイズ除去コア１３の取付け作業を容易に行なうことができる。さらに、電磁ノイズ除去コア１３がコア保持基板１６の包囲壁１６ａと固定基板１５との間に挟着保持されるため、ビス１８が緩んだとしても、電磁ノイズ除去コア１３がコア保持基板１６から脱落するのを防止できる。
【００１９】
なお、以上の実施形態では、固定基板１５は、シールドケース１０内に位置するものとして構成したが、シールドケース１０の一部を固定基板として用いてもよい。また、コア保持基板１６に電磁ノイズ除去コア１３用の包囲壁１６ａを２個設けたが、１個でもよく、この包囲壁１６ａの設置個数は任意でよい。また、信号伝達用ケーブルとして、ＣＣＤケーブル、リモートケーブルを用いたが、これ以外の信号伝達用ケーブルを用いてもよい。
【００２０】
【発明の効果】
以上説明したように本発明によれば、電磁ノイズ除去コアの取付け作業を容易化し、かつ、コア保持基板から電磁ノイズ除去コアが脱落するのを防止できる電子内視鏡の電磁ノイズ除去装置を得ることができる。
【図面の簡単な説明】
【図１】本発明を電子内視鏡に適用した全体を示す図である。
【図２】電子内視鏡のユニバーサルチューブ先端部に取付けたコネクタ部本体を示す横断面図である。
【図３】電子内視鏡のユニバーサルチューブ先端部に取付けたコネクタ部本体を示す縦断面図である。
【図４】従来構造のコネクタ部本体の一例を示す横断面図である。
【図５】図４のコネクタ部本体を示す縦断面図である。
【符号の説明】
１  電子内視鏡
２  体内挿入部
３  操作部
４  ユニバーサルチューブ
５  コネクタ部本体
６  ＣＣＤケーブル
１０  シールドケース
１２  リモートケーブル
１３  電磁ノイズ除去コア
１３Ｈ  半割コア
１３ａ  ケーブル挿通穴
１５  固定基板
１６  コア保持基板
１６ａ  包囲壁
１６ｂ  密着壁
【図１】
0003955475.tif 000002
【図２】
0003955475.tif 000003
【図３】
0003955475.tif 000004
【図４】
0003955475.tif 000005
【図５】
0003955475.tif 000006